(57)【要約】      （修正有）【課題】カラー印刷に対する出力制限を、専用のサーバを設けることなく実施する印刷システム、印刷システムの制御方法、印刷処理プログラムを提供する。【解決手段】クライアント装置２０は、印刷画像生成部２１にて作成されたカラー画像をカラープリンタ４０に対するカラー印刷指示を検知すると、カラー印刷可否問い合せ部２６にて、印刷指示操作を行ったユーザ情報を情報管理ＰＣ１０に送信し、カラー印刷の可否を問い合せる。情報管理ＰＣ１０は、通知されたユーザに対するカラー印刷の可否、モノクロ印刷がへの切り替えが可能かをクライアント装置２０に応答する。クライアント装置２０は、モノクロ印刷のみ可能な場合は、カラーの原稿画像をモノクロ変換部２３にてモノクロ変換したＰＤＬデータにて、モノクロプリンタ３０、あるいは、カラープリンタ４０にてモノクロ印刷を行う。【選択図】図１
2006277080.tif 000002
【特許請求の範囲】
【請求項１】
複数のプリンタと、複数のクライアント装置と、管理装置とをネットワークを介して接続した印刷システムにおいて、
前記管理装置は、
前記プリンタでの特定の印刷を許可するか否かを各クライアント装置に対応して記憶管理する管理手段と、
前記クライアント装置からの印刷許可の問い合わせに対して前記管理手段の記憶を参照して応答する問い合わせ応答手段と
を具備し、
前記クライアント装置は、
前記プリンタに対する特定の印刷の印刷指示に際して、該特定の印刷が許可されているかを前記管理装置に問い合わせる問い合わせ手段と、
前記問い合わせ手段による問い合わせに対する前記管理装置の前記問い合わせ応答手段からの応答結果に基づき該特定の印刷が許可されていない場合は、該特定の印刷の印刷指示を通常印刷の印刷指示に変換して該当プリンタに送信する印刷指示送信手段と
を具備することを特徴とする印刷システム。
【請求項２】
前記特定の印刷は、
カラー印刷の印刷指示であり、
前記管理手段は、
前記クライアント装置に対応して前記プリンタでのカラープリンタでの印刷を許可するか否かを記憶管理する
ことを特徴とする請求項１記載の印刷システム。
【請求項３】
前記印刷指示送信手段は、
前記印刷指示先プリンタがカラープリンタである場合は、前記カラー印刷の印刷指示をモノクロ印刷の指示に変換して該カラープリンタに送信する
ことを特徴とする請求項２記載の印刷システム。
【請求項４】
前記印刷指示送信手段は、
前記印刷指示先プリンタがカラープリンタである場合は、前記カラー印刷の印刷指示をモノクロ印刷の指示に変換して他のモノクロプリンタに送信する
ことを特徴とする請求項２記載の印刷システム。
【請求項５】
複数のプリンタと、複数のクライアント装置と、管理装置とをネットワークを介して接続した印刷システムにおける印刷制御方法において、
前記管理装置は、前記プリンタでの特定の印刷を許可するか否かを管理手段により各クライアント装置に対応して記憶管理し、
前記クライアント装置は、前記プリンタに対する特定の印刷の印刷指示に際して、該特定の印刷が許可されているかを前記管理装置に問い合わせ手段により問い合わせ、
該問い合わせに対する前記管理装置からの問い合わせ結果により該特定の印刷が許可されていない場合は、前記クライアント装置で前記特定の印刷の印刷指示を通常印刷の印刷指示に変換して該当プリンタに送信する
を具備することを特徴とする印刷システムの制御方法。
【請求項６】
複数のプリンタと、複数のクライアント装置と、管理装置とをネットワークを介して接続した印刷システムにおける印刷処理をコンピュータに実行させる印刷処理プログラムであって、
前記プリンタでの特定の印刷を許可するか否かを前記管理手段で各クライアント装置に対応して記憶管理するステップと、
前記プリンタに対する特定の印刷の印刷指示に際して、該特定の印刷が許可されているかを前記クライアント装置から前記管理装置に問い合わせるステップと、
該問い合わせに対する前記管理装置からの問い合わせ結果により該特定の印刷が許可されていない場合は、前記クライアント装置で前記特定の印刷の印刷指示を通常印刷の印刷指示に変換して該当プリンタに送信するステップと
を含むことを特徴とする印刷処理プログラム。
【発明の詳細な説明】
【技術分野】
【０００１】
本発明は、印刷システム、印刷システムの制御方法、印刷処理プログラムに関し、特に、印刷出力を所定の条件基づいて出力制限を行う技術に関する。
【背景技術】
【０００２】
コスト高の印刷処理における印刷出力枚数を抑える技術として、「出力制限」の技術が存在する。
【０００３】
従来の印刷処理に対する出力制限は、特許文献１の発明のように、出力制限を行うか否の基準となる情報を管理して出力を監視するための特定のサーバマシンを印刷システムに別途設けた構成が必要であった。
【０００４】
また、サーバマシンと、プリンタ本体がカラー印刷許可する判断基準として、ユーザコード等を管理するための手段を設け、次のカラー印刷せず、印刷データを削除する（処理１）あるいは、特許文献２の発明のように、カラー印刷データをモノクロ画像に変換して印刷する（処理２）といった印刷制御を行っていた。
【特許文献１】特開２００３−１９６０７０号公報。
【特許文献２】特開平１１−２２１９４５号公報。
【発明の開示】
【発明が解決しようとする課題】
【０００５】
しかし、カラー印刷のコスト高を抑えるためにサーバマシンが必要であったり、カラー印刷を行うためには、ユーザ登録が必要であるといった、印刷管理の手間が生じた。
【０００６】
また、その使用可能なユーザを識別するための登録操作、識別制御を行うための登録作業を、プリンタ、サーバマシンの双方に対して実施しなければならないといった手間、コストの問題が生じた。  
よって、本発明は、カラー印刷を許可するクライアントＰＣの「ユーザ名」または「マシン名」を情報管理用のＰＣにて、設定、記憶、管理する機能を有するソフトウェアと、クライアントＰＣの「ユーザ名」、また「マシン名」がカラー印刷を許可されているかを情報管理ＰＣに問い合わせる機能をもったプリンタドライバと、カラー印刷が許可されない場合には、カラープリンタに対してモノクロでの印刷を支持するか、あるいは、別のモノクロプリンタが存在する場合は、出力先をモノクロプリンタに自動的に切り替えて印刷処理を行うプリンタドライバによって、カラー印刷出力制限を実施することができる印刷システム、印刷システムの制御方法、印刷処理プログラムの提供を目的とする。
【課題を解決するための手段】
【０００７】
上記目的を達成するために、請求項１の発明は、複数のプリンタと、複数のクライアント装置と、管理装置とをネットワークを介して接続した印刷システムにおいて、管理装置は、プリンタでの特定の印刷を許可するか否かを各クライアント装置に対応して記憶管理する管理手段と、クライアント装置からの印刷許可の問い合わせに対して管理手段の記憶を参照して応答する問い合わせ応答手段とを具備し、クライアント装置は、プリンタに対する特定の印刷の印刷指示に際して、該特定の印刷が許可されているかを管理装置に問い合わせる問い合わせ手段と、問い合わせ手段による問い合わせに対する管理装置の問い合わせ応答手段からの応答結果に基づき該特定の印刷が許可されていない場合は、該特定の印刷の印刷指示を通常印刷の印刷指示に変換して該当プリンタに送信する印刷指示送信手段とを具備することを特徴とする印刷システム。
【０００８】
また、請求項２の発明は、請求項１の発明において、特定の印刷は、カラー印刷の印刷指示であり、管理手段は、クライアント装置に対応してプリンタでのカラープリンタでの印刷を許可するか否かを記憶管理することを特徴とする。
【０００９】
また、請求項３の発明は、請求項２の発明において、印刷指示送信手段は、印刷指示先プリンタがカラープリンタである場合は、カラー印刷の印刷指示をモノクロ印刷の指示に変換して該カラープリンタに送信することを特徴とする。
【００１０】
また、請求項４の発明は、請求項２の発明において、印刷指示送信手段は、印刷指示先プリンタがカラープリンタである場合は、カラー印刷の印刷指示をモノクロ印刷の指示に変換して他のモノクロプリンタに送信することを特徴とする。
【００１１】
また、請求項５の発明は、複数のプリンタと、複数のクライアント装置と、管理装置とをネットワークを介して接続した印刷システムにおける印刷制御方法において、
管理装置は、プリンタでの特定の印刷を許可するか否かを管理手段により各クライアント装置に対応して記憶管理し、クライアント装置は、プリンタに対する特定の印刷の印刷指示に際して、該特定の印刷が許可されているかを管理装置に対して問い合わせ手段により問い合わせ、該問い合わせに対する管理装置からの問い合わせ結果により該特定の印刷が許可されていない場合は、クライアント装置で特定の印刷の印刷指示を通常印刷の印刷指示に変換して該当プリンタに送信することを特徴とする。
【００１２】
また、請求項６の発明は、複数のプリンタと、複数のクライアント装置と、管理装置とをネットワークを介して接続した印刷システムにおける印刷処理をコンピュータに実行させる印刷処理プログラムであって、プリンタでの特定の印刷を許可するか否かを管理手段で各クライアント装置に対応して記憶管理するステップと、プリンタに対する特定の印刷の印刷指示に際して、該特定の印刷が許可されているかをクライアント装置から管理装置に問い合わせるステップと、該問い合わせに対する管理装置からの問い合わせ結果により該特定の印刷が許可されていない場合は、クライアント装置で特定の印刷の印刷指示を通常印刷の印刷指示に変換して該当プリンタに送信するステップとを含むことを特徴とする。
【発明の効果】
【００１３】
本発明の印刷システム、印刷システムの制御方法、印刷処理プログラムによれば、印刷コストのかかる印刷処理に対する出力制限を少ないコストで、かつ、特別なプリントサーバの導入をあらたに行うことなく導入することができる。
【００１４】
また、導入後においては、情報管理ＰＣに対してのみ、「ユーザ名」、「マシン名」等、印刷出力制限の対象を特定ために必要な情報を設定するだけで済むので、印刷の出力制限を行うための手間を減らすことができる。
【００１５】
また、印刷の出力制限の対象となった印刷処理を単に禁止せず、設定により別の印刷手段および印刷装置に切り替えて処理することができるので、再印刷の手間を省くことができる。
【発明を実施するための最良の形態】
【００１６】
本発明の印刷システム、印刷システムの制御方法、印刷処理プログラムの実施の形態について添付図面を参照しながら説明する。
【００１７】
図１は、本発明の印刷システム、印刷システムの制御方法、印刷処理プログラムを適用した印刷システムの構成および、クライアント装置、情報管理ＰＣの主要な制御構成を示したブロック図である。
【００１８】
図１に示した印刷システムにおいて、クライアント装置２０は、カラー、モノクロ画像の印刷原稿を作成することができる文書作成用のアプリケーションプログラムと、カラープリンタ、モノクロプリンタに対応したプリンタドライバを有して、カラー印刷、モノクロ印刷の機能を有する。
【００１９】
クライアント装置２０のユーザは、カラープリンタ４０によるカラー印刷、あるいは、カラープリンタ４０、モノクロプリンタ３０に対するモノクロ印刷を選択して印刷処理を行うことができる。
【００２０】
また、クライアント装置２０は、カラープリンタ４０に対するカラー印刷が指定された場合、ユーザ情報として、印刷操作を行ったユーザ名を情報管理ＰＣ１０に送信して、カラー印刷を許可するか否かを問い合わせ、問い合わせに対する応答結果に基づいて、カラー印刷を実施するか否かを判断し、カラー印刷の出力制限を行う機能をさらに有する。
【００２１】
情報管理ＰＣ１０は、カラー印刷の出力を制限するユーザ名を登録して管理し、クライアント装置２０からの問い合わせがあったユーザがカラー印刷を実施することが可能か否かを判定し、判定結果をクライアント装置２０に応答するカラー印刷可否判定機能を有する。
【００２２】
さらに、情報管理ＰＣ１０は、カラー印刷が制限されているユーザに対しては、単に、カラー印刷を禁止するのみならず、カラー画像をモノクロ画像に変換しての印刷を許可するか否かを登録して管理し、さらには、モノクロ印刷への切り替え印刷を許可するモノクロ印刷可能なプリンタを指定するといった切り替え先プリンタの設定機能を有する。
【００２３】
情報管理ＰＣ１０は、カラー印刷の出力制限を判断するための制御構成として、は、カラー印刷制限情報記憶部１１、カラー印刷制限情報管理部１２、カラー印刷実施可否判定部１３、情報管理ＰＣ通信制御部１４を有する。
【００２４】
カラー印刷制限情報記憶部１１は、例えば図４に示すように、カラー印刷に対して出力制限を行うユーザ名と、ユーザ名毎に、モノクロ印刷への切り替えを許可するか否かの設定情報、モノクロ印刷の切り替えを設定した際に、モノクロ印刷の出力先プリンタを指定する場合の出力先プリンタ名を記憶して管理する。
【００２５】
カラー印刷制限情報管理部１２は、情報管理ＰＣ１０において、カラー印刷の出力制限の管理者あるいは、情報管理ＰＣ１０の利用者に対して、カラー印刷制限情報のメンテナンスを行うためのユーザインタフェース画面の出力制御を図示しない情報管理ＰＣ１０のモニタに対して行い、カラー印刷制限情報のメンテナンスを行う。
【００２６】
また、カラー印刷実施可否判定部１３は、クライアント装置２０からカラー印刷の可否問い合わせデータを受信すると、カラー印刷制限情報記憶部１１の設定内容に基づいて、問い合わせのあったユーザがカラー印刷可能か否か、カラー印刷が不可の場合は、モノクロ印刷への切り替えが可能か、モノクロ印刷への切り替えが特定の指定プリンタに対してのみ許可されるかを判定して、判定結果をクライアント装置２０に応答するデータ送信処理を行う。
【００２７】
情報管理ＰＣ通信制御部１４は、クライアント装置２０との間におけるデータ通信制御を行って、カラー印刷の問い合わせデータの受信処理、カラー印刷の可否問い合わせに対する応答データの送信処理を制御する。
【００２８】
一方、図１において、クライアント装置２０は、印刷制御を行うための構成として、印刷画像生成部２１、プリンタ設定情報記憶部２２、モノクロ変換部２３、ＰＤＬ出力部２４、情報管理ＰＣアクセス情報記憶部２５、カラー印刷可否問い合せ部２６、出力先プリンタ切り替え部２７、スプーラ２８、クライアント装置通信制御部２９を有する。
【００２９】
印刷画像生成部２１は、印刷する文書データをユーザが編集して作成するためのアプリケションソフトウェアであり、印刷画像を、カラー画像、モノクロ画像のいずれでも作成可能あるとともに、ユーザが作成した文書データの印刷操作メニューの出力制御を行う。  また、印刷画像生成部２１は、ユーザによる印刷操作の内容として、印刷先として指定されたプリンタに対する印刷出力設定の内容をプリンタ設定情報記憶部２２に記録して印刷指示をＰＤＬ出力部２４に指示する。
【００３０】
モノクロ変換部２３は、印刷画像生成部２１にて作成されたカラー画像をモノクロ画像に変換する機能を有する。
【００３１】
ＰＤＬ出力部２４は、印刷画像生成部２１にて作成された画像データに基づいて、出力先として指定されたプリンタに対応したＰＤＬデータの生成を行う。
【００３２】
情報管理ＰＣアクセス情報記憶部２５は、印刷画像生成部２１にてカラー印刷が指定された場合に、カラー印刷の可否を問い合先となる情報管理ＰＣ１０のネットワークアドレス、装置名を記憶する。
【００３３】
カラー印刷可否問い合せ部２６は、ＰＤＬ出力部２４から通知されるユーザ名が、カラー印刷可能であるかを情報管理ＰＣ１０に対して問い合わせを行い、情報管理ＰＣ１０からの応答を受信して問い合わせ結果の解析を行い、「カラー印刷可能」、「指定したプリンタに対するモノクロのみ可能」、「モノクロ印刷への切り替え可能」、「印刷禁止」のいずれであるかを判断して、解析結果をＰＤＬ出力部２４に通知する。
【００３４】
出力先プリンタ切り替え部２７は、ネットワーク５０に接続された、カラープリンタ、モノクロプリンタの検索、および、各プリンタの端末情報、印刷設定の情報をネットワーク経由で取得し、ＰＤＬ出力部２４に通知する。
【００３５】
スプーラ２８は、ＰＤＬ出力部２４にて作成されたＰＤＬデータを出力先プリンタ宛に送信する印刷ジョブの送信制御を行い、印刷ジョブの処理状況を監視して、監視した結果をＰＤＬ出力部に通知する。
【００３６】
クライアント装置通信制御部２９は、カラープリンタ４０、モノクロプリンタ３０との間において、印刷用プロトコルにて印刷ジョブの送信、プリンタの処理ステータスを問い合わせるデータ通信制御を行い、情報管理ＰＣ１０との間においては、カラー印刷の可否問い合わせを行うための、問い合わせコマンドの送信、応答データの受信を行うためのデータ通信制御を行う。
【００３７】
図２は、図１に示したクライアント装置における印刷処理の動作を示すフローチャートである。
【００３８】
クライアント装置２０は、印刷操作を検知すると（Ｓ１０１ＹＥＳ）、原稿画像がカラーで作成されているかを判断する（Ｓ１０２）。
【００３９】
原稿画像がモノクロで作成されている場合（Ｓ１０２ＮＯ）、あるいは、原稿画像がモノクロで作成されている場合でも、印刷出力設定がモノクロである場合（Ｓ１０３ＮＯ）、クライアント装置２０は、モノクロ画像でのＰＤＬデータを作成する（Ｓ１０４）。
【００４０】
カラーの原稿画像で（Ｓ１０２ＹＥＳ）、カラー印刷が指定されている場合（Ｓ１０３ＹＥＳ）、クライアント装置２０は、情報管理ＰＣ１０に対して、ユーザ情報を通知してカラー印刷の可否を問い合せるデータを送信する（Ｓ１０５）。
【００４１】
情報管理ＰＣ１０からの応答を受信すると（Ｓ１０６ＹＥＳ）、クライアント装置２０は、応答データの内容を解析し、カラー印刷が可能であるか否かを判断する（Ｓ１０７）。
【００４２】
カラー印刷が許可された場合（Ｓ１０７ＹＥＳ）、クライアント装置２０は、カラーでのＰＤＬデータの生成を指示する（Ｓ１１４）。
【００４３】
一方、カラー印刷が許可されなかった場合（Ｓ１０７ＮＯ）、クライアント装置２０は、応答データにてモノクロ印刷への切り替えが許可されているかを判断する（Ｓ１０８）。
【００４４】
モノクロ印刷への切り替えが許可されている場合（Ｓ１０８ＹＥＳ）、クライアント装置２０は、モノクロ画像への変換を行い（Ｓ１０９）、モノクロ印刷を行う出力先プリンタがさらに指定されているか否かを判断する（Ｓ１１０）。
【００４５】
出力先プリンタの指定がある場合（Ｓ１１０ＹＥＳ）、クライアント装置２０は、指定されたプリンタに対するモノクロ印刷用のＰＤＬデータを作成する（Ｓ１１２）。
【００４６】
一方、モノクロ印刷への切り替えが許可され、特に、出力先プリンタの指定が無い場合は（Ｓ１１０ＮＯ）、クライアント装置２０は、カラープリンタ３０に対するモノクロ印刷用のＰＤＬデータを作成する（Ｓ１０９）。
【００４７】
クライアント装置２０は、作成したＰＤＬデータをスプールして出力先プリンタに対する印刷データの送信処理を行う（Ｓ１１３）。
【００４８】
一方、モノクロ画像への切り替えが許可されていない場合（Ｓ１０８ＮＯ）、あるいは、情報管理ＰＣ１０から、カラー印刷の可否問い合せに対する応答が無くタイムアウトとなった場合（Ｓ１０６ＮＯ）、クライアント装置２０は、カラー印刷要求に対するエラー処理を行う（Ｓ１１５）。
【００４９】
図３は、図１に示した情報管理ＰＣ１０におけるカラー印刷に対する出力制限の判定処理の動作を示すフローチャートである。
【００５０】
情報管理ＰＣ１０は、クライアント装置２０から通知されるユーザ情報を解析し、解析したユーザ名がカラー印刷制限情報に登録されているかを判断する（Ｓ２０１）。
【００５１】
カラー印刷制限情報に通知されたユーザ名が登録されていない場合（Ｓ２０１ＮＯ）、情報管理ＰＣ１０は、問い合せ元のクライアント装置２０に対して、カラー印刷を許可する応答データを送信する（Ｓ２０２）。
【００５２】
ステップＳ２０１の判定処理において、通知されたユーザ名がカラー印刷制限情報に登録されたユーザである場合（Ｓ２０１ＹＥＳ）、情報管理ＰＣ１０は、カラー印刷制限情報において、モノクロ印刷への切り替えが許可されているかを判断する（Ｓ２０３）    モノクロ印刷への切り替え許可が設定されている場合（Ｓ２０３ＹＥＳ）、情報管理ＰＣ１０は、さらに、モノクロ印刷を行う出力先プリンタの設定が、カラー印刷制限情報に設定されているかを判断する（Ｓ２０４）。
【００５３】
出力先プリンタの指定が無い場合（Ｓ２０４ＮＯ）、情報管理ＰＣ１０は、問い合せのあったクライアント装置２０に対して、ユーザが当初、カラー印刷を指定したプリンタによるモノクロ印刷への切り替えを許可する応答データを送信する（Ｓ２０５）。
【００５４】
出力プリンタの指定がある場合（Ｓ２０４ＹＥＳ）、情報管理ＰＣ１０は、モノクロ印刷への切り替えを指定したプリンタに対してのみ許可することを通知し、出力先となるのプリンタ名、プリンタのネットワークアドレスを通知する応答データを作成してクライアント装置２０に送信する（Ｓ２０６）。
【００５５】
ステップＳ２０３において、モノクロ印刷への切り替えも許可しない場合（Ｓ２０３ＮＯ）、情報管理ＰＣ１０は、クライアント装置２０に対して、カラー印刷およびモノクロ印刷の双方を許可しないことを通知する応答データを、問い合せ元のクライアント装置２０に対して送信する（Ｓ２０７）。  
なお、情報管理ＰＣ１０における印刷出力制限のための設定手段、判定手段を含む制御構成は、クライアント装置２０に有する構成にし、ネットワーク５０を経由せずに、プログラム間の制御を行って、印刷出力制限を実施するか否かを判断して処理するようにしてもよい。
【００５６】
また、カラー印刷に対する印刷出力制限の対象か否かをユーザにて管理する構成を示したがこれ以外に、クライアント装置２０のマシン名、あるいは、マシン名とユーザ名の組合せ等で管理するようにしてもよい。
【００５７】
また、本実施例は、カラー印刷に対する出力制限を行う例を示したが、カラー印刷以外の印刷処理として、特定のプリンタに対する印刷処理、あるいは、特定の印刷画像に対する印刷処理等、出力制限を行う対象はカラー印刷に制限されない。
【産業上の利用可能性】
【００５８】
本発明の印刷システム、印刷システムの制御方法、印刷処理プログラムは、カラー印刷など印刷コストが高い印刷処理を行う印刷システムに利用可能であって、特に、印刷システムに対する管理用としてのプリントサーバを特別に設けず、プリンタドライバ、管理用ＳＷの入れ替えによって、従来の印刷システムのハードウェア構成を変更することがなくコストを抑えた印刷システム構築が必要な場合に利用可能である。
【図面の簡単な説明】
【００５９】
【図１】本発明の印刷システム、印刷システムの制御方法、印刷処理プログラムを適用した印刷システムの構成および、クライアント装置、情報管理ＰＣの主要な制御構成を示したブロック図。
【図２】クライアント装置における印刷処理の動作を示すフローチャート。
【図３】情報管理ＰＣにおける印刷出力制限機能を含む動作を示すフローチャート。
【図４】情報管理ＰＣにて管理されるカラー印刷制限情報の例を示す図。
【符号の説明】
【００６０】
１０    情報管理ＰＣ
１１    カラー印刷制限情報記憶部    
１２    カラー印刷制御情報管理部    
１３    カラー印刷実施可否判定部
１４    情報管理ＰＣ通信制御部
２０    クライアント装置
２１    印刷画像生成部
２２    プリンタ設定情報記憶部
２３    モノクロ変換部
２４    ＰＤＬ出力部
２５    情報管理ＰＣアクセス情報記憶部
２６    カラー印刷可否問い合せ部
２７    出力先プリンタ切り替え部
２８    スプーラ
２９    クライアント装置通信制御部
３０    モノクロプリンタ
４０    カラープリンタ
５０    ネットワーク
【図１】
2006277080.tif 000003
【図２】
2006277080.tif 000004
【図３】
2006277080.tif 000005
【図４】
2006277080.tif 000006